(57)【要約】  血液透析器１と血液回路２、血液透析器１の上流側（動脈側血液回路２１）に設けられた血液ポンプ３、透析液供給ライン４および除水ライン６を含んでなり、使用する血液透析器のクリアランスを設定し、血流量を設定したときに、設定クリアランスと設定血流量に対応する透析液流量を算出し表示する、透析条件の算出・表示手段９を備えている。血液透析装置は制御装置８によって制御されており、透析条件の算出・表示手段９はこの制御装置８に電気的に接続されている。透析条件の算出・表示手段９はこの制御装置８に内蔵されていても良い。  【課題】  コストを低く抑えつつ、簡単な作業で、透析条件を算出し表示することの出来る血液透析装置を提供する。
2011074603.tif 000002
【特許請求の範囲】
【請求項１】
血液透析器と血液回路、前記血液透析器の上流側に設けられた血液ポンプ、透析液供給ラインおよび除水ラインを含んでなり、
使用する血液透析器のクリアランスを設定し、血流量を設定したときに、設定クリアランスと設定血流量に対応する透析液流量を算出し表示する、透析条件の算出・表示手段を備えてなる血液透析装置。
【請求項２】
透析条件算出・表示手段が、血流量を変更する場合に、血流量の変更にともなって、設定クリアランスと変更血流量に対応する新たな透析液流量を連続的に算出・表示するようになっている請求項１に記載の血液透析装置。
【発明の詳細な説明】
【技術分野】
【０００１】
本発明は、コストを低く抑えつつ、簡単な作業で、透析条件を算出し表示することの出来る血液透析装置に関する。
【背景技術】
【０００２】
一回の血液透析治療における治療量は透析量として定義されている。透析量の指標としては尿素除去率とＫｔ／Ｖがあるが、一般にはＫｔ／Ｖが使用されている。
Ｋｔ／Ｖは、通常、血液透析治療の開始時と終了時の血清尿素濃度と、除水量、治療時間とを、所定の演算式に代入して算出する。ここで、血液透析治療終了時の血清尿素濃度に影響を与えるファクターとしては、患者の体液量、治療時間、除水量、使用する透析器の総括物質移動面積係数（所謂、ＫｏＡ）、血流量、透析液流量があり、通常、医療スタッフは、血液透析治療の開始前に、これらのファクターのうち血流量を調整することにより、血液透析治療終了時の血清尿素濃度を調整し、Ｋｔ／Ｖを調整している。【０００３】
しかし、血液透析治療終了時における血清尿素濃度を決定するファクターの一つであり、また、Ｋｔ／Ｖを算出する演算式に代入される項目の一つでもある除水量は、過去の血液透析治療とこれから行おうとする血液透析治療では必ずしも等しくはない。
また、血液透析治療における血流量とＫｔ／Ｖとの関係も患者や使用する透析器によって異なる。従って、血流量を調整しても、血液透析治療の終了後にＫｔ／Ｖ値が目標通りに達成されることは困難であり、しかも、目標とするＫｔ／Ｖ値を達成するために必要な血流量を決定するための作業は、多大な時間と労力を要するものであった。また、最近では、コスト面から、透析液の使用量を出来るだけ抑制しようとする考えもある。
【発明の概要】
【発明が解決しようとする課題】
【０００４】
本発明は、上記の事情に鑑みてなされたもので、コストを低く抑えつつ、簡単な作業で、透析条件を算出し表示することの出来る血液透析装置を提供する。
【課題を解決するための手段】
【０００５】
本発明の血液透析装置は、血液透析器と血液回路、前記血液透析器の上流側に設けられた血液ポンプ、透析液供給ラインおよび除水ラインを含んでなり、
使用する血液透析器のクリアランスを設定し、血流量を設定したときに、設定クリアランスと設定血流量に対応する透析液流量を算出し表示する、透析条件の算出・表示手段を備えてなることを特徴とする。【０００６】
ここで、透析条件算出・表示手段は、血流量を変更する場合に、血流量の変更にともなって、設定クリアランスと変更血流量に対応する新たな透析液流量を連続的に算出・表示するようになっていてもよい。
尚、透析条件の算出・表示手段は、後述する制御装置に内蔵されていても良い。
以上、一般的に本発明を記述したが、より一層の理解は、いくつかの特定の実施例を参照することによって得ることが出来る。これらの実施例は本明細書に例示の目的のためにのみ提供されるものであり、他の旨が特定されない限り、限定的なものではない。
【発明の効果】
【０００７】
本発明によれば、以下のような効果が期待できる。すなわち、使用する血液透析器のクリアランスと血流量が設定されれば、この設定クリアランスと設定血流量に対応して透析液流量が算出される様になっており、また、設定血流量を変更することにより透析液流量が変更されるように構成すれば、透析液流量を設定可能範囲内の最も効率的なレベルまで下げることが出来るので、効率的な透析液流量の設定作業が容易な上、透析液の使用量からも透析治療コストを低減でき、患者の経済的負担を軽減することができる。
【図面の簡単な説明】
【０００８】
【図１】本発明の血液透析装置を示す概略説明図である。
【発明を実施するための形態】
【０００９】
血液透析器と血液回路、前記血液透析器の上流側に設けられた血液ポンプ、透析液ラインおよび除水ラインを含み、使用する血液透析器のクリアランスを設定し、血流量を設定したときに、設定クリアランスと設定血流量に対応する透析液流量を算出し表示する、透析条件の算出・表示手段を備えてなる。透析条件算出・表示手段は、血流量を変更する場合に、血流量の変更にともなって、設定クリアランスと変更血流量に対応する新たな透析液流量を連続的に算出・表示するようになっている。
【実施例１】
【００１０】
先ず、実施例１について、図面を用いて説明する。
図１は本発明の実施例１に係る血液透析装置の概略説明図である。
本発明の血液透析装置は、図１に示すように、血液透析器１と血液回路２、血液透析器１の上流側（動脈側血液回路２１）に設けられた血液ポンプ３、透析液供給ライン４および除水ライン６を含んでなり、使用する血液透析器のクリアランスを設定し、血流量を設定したときに、設定クリアランスと設定血流量に対応する透析液流量を算出し表示する、透析条件の算出・表示手段９を備えている。血液透析装置は制御装置８によって制御されており、透析条件の算出・表示手段９はこの制御装置８に電気的に接続されている。透析条件の算出・表示手段９はこの制御装置８に内蔵されていても良い。尚、図中、２２は静脈側血液回路、４１は透析液供給ライン、４２は透析液排出ライン、５は透析液ポンプ、７は除水ポンプ、１０は透析条件の算出・表示手段９への入力手段である。【００１１】
透析条件の算出・表示手段９では、使用する血液透析器のクリアランスが設定され、血流量が設定されたときに、設定クリアランスと設定血流量に対応する透析液流量が算出され表示される。
さて、透析液ポンプ５には最適吐出量範囲があり、その結果として、透析液流量には設定可能範囲があり、透析液流量はその範囲内でしか設定することができない。ところが、与えられたクリアランスと血流量の下における、透析液流量は、透析液流量の設定可能範囲の外にあることもある。そのような場合には、血流量を変更して、設定可能範囲内の透析液流量を算出し直なければならない。そして、そのような新たな血流量の決定は、通常、試行錯誤で行わざるを得ない。このような問題を解決するため、本実施例の血液透析装置では、血流量を変えていくに従って、設定クリアランスと変更血流量に対応する透析液流量が連続的に算出・表示されるようになっている。したがって、本実施例の血液透析装置では、設定クリアランスと変更血流量に対応する透析液流量が透析液流量の設定可能範囲内に入るように、血流量を試行錯誤で決定する必要がなくなる。すなわち、本実施例の血液透析装置には、得られる透析液流量が設定可能範囲内に入るような血流量を、表示板を目視することで決定できるという利点がある。
効率的な透析液流量が決まれば、透析開始ボタン（図示していない）を押すことにより、設定されたクリアランスと血流量、透析液流量で血液透析治療が開始される。【００１２】
さて、血液透析器のクリアランスは血液透析器によって異なり、通常、血流量２００ｍｌ、透析液流量５００ｍｌのときの値が表示されている。そして、血液透析濾過のように大量の濾過を伴う場合や、高透水性の透析膜を用いた内部濾過の大きい血液透析器の場合、急性血液浄化で使用する際に透析液流量や血流量が小さかったりする場合を除いて、血液透析器の除去性能を表すクリアランス（ＣＬ）は、血流量（ＱＢ）、透析液流量（ＱＤ）、総括物質移動面積係数（ＫＯＡ）の３つの値によって決まる。これらＣＬ、ＱＢ、ＱＤ、ＫＯＡの関係を数式で表したものを血液透析器の性能評価式といい、次式で表わされる。
【数式１】
【００１３】
2011074603.tif 000003
透析条件の算出・表示手段９では、設定クリアランスと、総括物質移動面積係数、血流量から数式１を用いて透析液流量が算出され表示される。ここで、設定クリアランスとしては、通常、尿素クリアランスが使用される。
【００１４】
但し、ＫＯＡは本来濾過を伴わない拡散のみの現象を説明する指標であることから、血液透析濾過のように大量の濾過を伴う場合や、高透水性の透析膜を用いた内部濾過の大きい血液透析器の場合のように、ＫＯＡが本来の定義が成り立たない条件の下で測定されたデータから計算されたものであれば、得られた結果は本来の意味をなさないものとなる。また、急性血液浄化で使用する際に透析液流量や血流量が小さかったりする場合のように、ＫＯＡを一定と見なせない場合があるが、これらの場合には、本発明の透析装置は適用できないので、透析条件の算出・表示手段９をオフの状態にして、従来通りの操作方法を採用する必要がある。
【符号の説明】
【００１５】
１  血液透析器
２  血液回路
２１  動脈側血液回路
２２  静脈側血液回路
３  血液ポンプ
４  透析液ライン
４１  透析液供給ライン
４２  透析液排液ライン
５  透析液ポンプ
６  除水ライン
７  除水ポンプ
８  制御装置
９  透析条件の算出・表示手段
１０  入力手段
【図１】
2011074603.tif 000004
【国際調査報告】
2011074603.tif 000005
2011074603.tif 000006
2011074603.tif 000007
2011074603.tif 000008